(57)【要約】【課題】ユーザによる近接無線通信させるというアクションに対してファイルの伝送を制御し、ユーザに対して分かりやすいユーザインタフェースを提供すること。【解決手段】電子機器に設けられたカードスロットに挿抜可能なメモリカードであって、一つ以上のファイルが格納される不揮発性メモリ２１と、近接無線通信を実行する近接無線通信部２５と、近接無線通信部２５が他の近接無線通信部３３と通信可能になる度に近接無線通信部２５を用いて不揮発性メモリ２１内に格納されている一つのファイルを前記他の近接無線通信部に送信するための処理を実行するファイル管理部２３とを具備する。【選択図】    図２
2010067060.tif 000002
【特許請求の範囲】
【請求項１】
電子機器に設けられたカードスロットに挿抜可能なメモリカードであって、
一つ以上のファイルが格納される記憶部と、
近接無線通信を実行する近接無線通信部と、
前記近接無線通信部が他の近接無線通信装置と通信可能になる度に、前記近接無線通信部を用いて前記記憶部内に格納されているファイルを前記他の近接無線通信装置に送信するための処理を実行する制御部と
を具備することを特徴とするメモリカード。
【請求項２】
前記記憶部に格納されているファイルに対する前記電子機器からのＲｅａｄアクセスの履歴情報を保持するアクセス記録部を更に有し、
前記制御部は、前記他の近接無線通信装置と通信可能になる度に、前記履歴情報に基づいてＲｅａｄアクセスされた日時が新しいファイルから順に前記ファイルを前記他の近接無線通信装置に送信することを特徴とする請求項１に記載のメモリカード。
【請求項３】
前記記憶部に格納されているファイルに対する前記電子機器からのＷｒｉｔｅアクセスの履歴情報を保持するアクセス記録部を更に有し、
前記制御部は、前記他の近接無線通信装置と通信可能になる度に、前記履歴情報に基づいてＷｒｉｔｅアクセスされた日時が新しいファイルから順に前記ファイルを前記他の近接無線通信装置に送信することを特徴とする請求項１に記載のメモリカード。
【請求項４】
前記記憶部に格納されているファイルに対する前記電子機器からのＲｅａｄアクセスの履歴情報を保持するアクセス記録部を更に有し、
前記記憶部には、前記記憶部に格納されているファイルを送信するモードを設定するためのコマンドファイルが格納され、
前記制御部は、前記履歴情報に基づいて最後にＲｅａｄアクセスされたファイルを特定し、前記特定されたファイルが前記コマンドファイルの場合に前記特定されたコマンドファイルに応じて送信するファイルを選択することを特徴とする請求項１に記載のメモリカード。
【請求項５】
前記記憶部には、前記記憶部に格納されているファイルを送信するモードを設定するための受信コマンドファイルが格納され、
前記特定されたファイルが前記受信コマンドファイルの場合、前記制御部は前記他の近接無線通信装置から送信されたファイルを前記記憶部に格納するための処理を実行することを特徴とする請求項４に記載のメモリカード。
【請求項６】
電子機器に設けられたカードスロットに挿抜可能なメモリカードであって、
一つ以上のファイルが格納される記憶部と、
近接無線通信を実行する近接無線通信部と、
前記近接無線通信部が他の近接無線通信装置と通信可能になる度に前記近接無線通信部が受信した一つのファイルを前記記憶部に格納するための処理を実行する制御部と
を具備することを特徴とするメモリカード。
【請求項７】
一つ以上のファイルが格納される記憶部と、近接無線通信を実行する近接無線通信部とを具備するメモリカードの制御方法であって、
前記近接無線通信部が他の近接無線通信装置と通信可能になる度に前記近接無線通信部を用いて前記記憶部内に格納されている一つのファイルを前記他の近接無線通信装置に送信するための処理を実行することを特徴とするメモリカードの制御方法。
【請求項８】
前記メモリカードは前記記憶部に格納されているファイルに対する前記電子機器からのＲｅａｄアクセスの履歴情報を保持するアクセス記録部を更に有し、
前記他の近接無線通信装置と通信可能になる度に、前記履歴情報に基づいてＲｅａｄアクセスされた日時が新しいファイルから順に前記ファイルを前記他の近接無線通信装置に送信することを特徴とする請求項７に記載のメモリカードの制御方法。
【請求項９】
前記メモリカードは、前記記憶部に格納されているファイルに対する前記電子機器からのＲｅａｄアクセスの履歴情報を保持するアクセス記録部を更に有し、
前記記憶部には、前記記憶部に格納されているファイルを送信するモードを設定するためのコマンドファイルが格納され、
前記履歴情報に基づいて最後にＲｅａｄアクセスされたファイルを特定し、前記特定されたファイルが前記コマンドファイルの場合に前記特定されたコマンドファイルに応じて送信するファイルを選択することを特徴とする請求項７に記載のメモリカードの制御方法。
【請求項１０】
前記記憶部には、前記記憶部に格納されているファイルを送信するモードを設定するための受信コマンドファイルが格納され、
前記特定されたファイルが前記受信コマンドファイルの場合、前記他の近接無線通信装置から送信されたファイルを前記記憶部に格納することを特徴とする請求項９に記載のメモリカードの制御方法。
【発明の詳細な説明】
【技術分野】
【０００１】
本発明は、近接無線通信機能を有するメモリカードおよびメモリカードの制御方法に関する。
【背景技術】
【０００２】
近年、無線ＬＡＮ機能（ＩＥＥＥ  ８０２．１１ｂ／ｇ）を内蔵したメモリカードが販売されている（非特許文献１参照）。
【０００３】
無線ＬＡＮ機能を有するメモリカードをデジタルカメラの記憶デバイスとして使用すると、撮影されたファイルを無線ＬＡＮ機能を有するパーソナルコンピュータ等に自動的に転送することができる。
【非特許文献１】“Eye-Fi Share”、［online］、Eye-Fi、［平成２０年９月３日検索］、インターネット＜URL：http://www.eye.fi/products/share＞
【発明の開示】
【発明が解決しようとする課題】
【０００４】
ところで、伝送距離が３ｃｍ以下という近接無線通信技術が開発されている。近接無線通信では、伝送距離が極端に短いために通常は機器同士を接触させてファイルの伝送を行う。
【０００５】
近接無線通信の場合、機器同士の接触という動作によって、ファイルの伝送操作が開始されるので、ユーザによる機器同士の接触（近接無線通信させる）という行動に何らかの意味づけをすることによってファイルの伝送を制御し、ユーザに対して分かりやすいユーザインタフェースを提供したいという要望がある。
【０００６】
本発明の目的は、ユーザによる近接無線通信させるというアクションに対してファイルの伝送を制御し、ユーザに対して分かりやすいユーザインタフェースを提供することが可能になるメモリカードおよびメモリカードの制御方法を提供することにある。
【課題を解決するための手段】
【０００７】
本発明の一例に係わるメモリカードは、電子機器に設けられたカードスロットに挿抜可能なメモリカードであって、一つ以上のファイルが格納される記憶部と、近接無線通信を実行する近接無線通信部と、前記近接無線通信部が他の近接無線通信部と通信可能になる度に前記近接無線通信部を用いて前記記憶部内に格納されている一つのファイルを前記他の近接無線通信部に送信するための処理を実行する制御部とを具備することを特徴とするメモリカード。
【発明の効果】
【０００８】
本発明によれば、ユーザによる近接無線通信させるというアクションに対してファイルの伝送を制御し、ユーザに対して分かりやすいユーザインタフェースを提供することが可能になる。
【発明を実施するための最良の形態】
【０００９】
本発明の実施の形態を以下に図面を参照して説明する。
【００１０】
図１は、本発明の第１の実施形態に係わる近接無線通信機能およびメモリカード２０が挿抜可能なカードスロット１４を有するデジタルカメラ、並びに近接無線通信機能および記憶装置を有するコンピュータのシステム構成を示すブロック図である。
【００１１】
図１に示すように、デジタルカメラ１０は、レンズ１５、撮像素子１６、表示デバイス１７、ＣＰＵ１１、メモリ１２、ホストコントローラ１３、およびカードスロット１４を有する。
【００１２】
ＣＰＵ１１は、デジタルカメラ１０の動作を制御するプロセッサであり、メモリ１２にロードされるファームウエアを実行する。
【００１３】
ホストコントローラ１３は、カードスロット１４に挿入されたメモリカード２０との通信を制御するためのコントローラである。ホストコントローラ１３は、メモリカード２０と通信を行って、メモリカード２０にファイルを書き込んだり、メモリカード２０に格納されているファイルを読み出したりするための処理を行う。
【００１４】
撮像素子１６は、レンズ１５によって撮像素子１６の撮像領域に結像された画像をデータ化する。データ化された画像は表示デバイス１７の表示画面上に表示される。また、撮影されメモリカード２０内に格納されている映像ファイルが表示デバイス１７の表示画面上に表示される。
【００１５】
メモリカード２０は、不揮発性メモリ（ＮＶＭ）２１、デバイスコントローラ２２、ファイル管理部２３、アクセス記録部２４、および近接無線通信部２５等を有する。  
記憶部である不揮発性メモリ（ＮＶＭ）２１には、ファイルが格納される。デバイスコントローラ２２は、デジタルカメラ１０との通信を制御するためのコントローラである。ファイル管理部２３は、不揮発性メモリ２１に格納されているファイルを認識する機能を有する。制御部としてのファイル管理部２３は、近接無線通信によるファイルの送受信を制御する機能を有する。アクセス記録部２４は、デジタルカメラ１０が不揮発性メモリ２１に格納されているファイルに対して行ったアクセス(Read/Write)の履歴情報を保持する機能を有する。
【００１６】
近接無線通信部２５は、近接無線通信を実行する。近接無線通信部２５と別の近接無線通信部（３３）との間の近接無線通信は、ピアツーピア形式で実行される。通信可能距離は例えば３ｃｍである。近接無線通信部２５と別の近接無線通信部（３３）との間の無線接続は、近接無線通信部２５と別の近接無線通信部（３３）との間の距離が所定距離（例えば３ｃｍ）以内に接近した場合にのみ可能となる。近接無線通信においては、誘導電界が用いられる。近接無線通信方式としては、例えばTransfer JETを使用し得る。Transfer JETは、UWBを利用した近接無線通信方式であり、高速データ転送を実現することができる。
【００１７】
コンピュータ３０は、ＣＰＵ３１、メモリ３２、ファイル記憶部３４、および近接無線通信部３３等を有する。
【００１８】
ＣＰＵ３１は、コンピュータ３０の動作を制御するプロセッサであり、メモリ３２にロードされる、オペレーティングシステム（ＯＳ）、や各種アプリケーションプログラムを実行する。
【００１９】
近接無線通信部３３は、メモリカード２０に搭載されている近接無線通信と通信を行うことが可能なデバイスである。ファイル記憶部３４は、例えばハードディスクドライブによって構成され、近接無線通信によっってメモリカード２０から転送されたファイルを格納することができる。
【００２０】
コンピュータ３０で実行されるアプリケーションプログラム（ファイル転送プログラム）によって、近接無線通信部３３およびメモリカード２０の近接無線通信部２５に以下などの通信モードを設定する。
【００２１】
１．受信のみ（メモリカード２０の近接無線通信部２５が近接無線通信部３３にファイルを送信）。  
２．送信のみ（近接無線通信部３３がメモリカード２０の近接無線通信部２５にファイルを送信）。  
３．コンピュータ内にないファイルすべてを受信（メモリカード２０の近接無線通信部２５が近接無線通信部３３にファイルを送信）。  
４．メモリカード内にないファイルすべてを送信（近接無線通信部３３がメモリカード２０の近接無線通信部２５にファイルを送信）。  
５．メモリカードに最近記録された(Writeした)ファイルを受信（転送は新しく記録されたファイルから１つずつ）、（メモリカード２０の近接無線通信部２５が近接無線通信部３３にファイルを送信）。  
６．メモリカードから最近読み出された（Ｒｅａｄアクセスした）ファイルを受信（転送は新しいアクセスから１つずつ）、（メモリカード２０の近接無線通信部２５が近接無線通信部３３にファイルを送信）。
【００２２】
上記通信モードについて説明する。  
“１．受信のみ”の場合、ファイル転送プログラムは、近接無線通信部３３をファイルを受信するモードに設定する。そして、ファイル転送プログラムは、近接無線通信部３３および近接無線通信部２５を介して、ファイル管理部２３に対して不揮発性メモリ２１に格納されているファイルを全て送信する送信モードに設定する。
【００２３】
“２．送信のみ”の場合、ファイル転送プログラムは、近接無線通信部３３をファイルを送信するモードに設定する。そして、ファイル転送プログラムは、近接無線通信部３３および近接無線通信部２５を介して、ファイル管理部２３に対してファイルを受信するモードに設定する。ファイル転送プログラムは、ユーザが設定したファイルを近接無線通信部３３および近接無線通信部２５を介してメモリカード２０に送信する。アクセス記録部２４は受信したファイルを不揮発性メモリ２１に格納する。
【００２４】
“３．コンピュータ内にないファイルすべてを受信”の場合、ファイル転送プログラムは、近接無線通信部３３をファイルを受信するモードに設定する。そして、ファイル転送プログラムは、近接無線通信部３３および近接無線通信部２５を介して、ファイル管理部２３に対して不揮発性メモリ２１に格納され、コンピュータ３０に送信していないファイルを全て送信する送信モードに設定する。ファイル管理部２３はアクセス記録部２４が管理する履歴情報を参照し、送信していないファイルを全てコンピュータ３０に送信する。
【００２５】
“４．メモリカード内にないファイルすべてを送信”の場合、近接無線通信部３３をファイルを送信するモードに設定する。そして、ファイル転送プログラムは、近接無線通信部３３および近接無線通信部２５を介して、ファイル管理部２３に対してファイルを受信するモードに設定する。ファイル転送プログラムは、メモリカード２０に対応づけられているフォルダが設定され、フォルダからメモリカード２０に送信したファイルの送信履歴情報をファイル記憶部３４に格納しておく。ファイル転送プログラムは、送信履歴情報を参照してメモリカード２０に対応づけられているフォルダ内のファイルからメモリカード２０に送信していないファイルを全て近接無線通信部３３および近接無線通信部２５を介してメモリカード２０に送信する。ファイル管理部２３は受信したファイルを不揮発性メモリ２１に格納する。
【００２６】
“５．メモリカードに最近記録された(Writeした)ファイルを受信”の場合、ファイル転送プログラムは、近接無線通信部３３をファイルを受信するモードに設定する。そして、ファイル転送プログラムは、近接無線通信部３３および近接無線通信部２５を介して、ファイル管理部２３に対してメモリカードに最近記録された(Writeした)ファイルを送信する送信モードに設定する。ファイル管理部２３は、近接無線通信が可能になる度に、最近記録された(Writeした)ファイルから順にファイルをコンピュータ３０に送信する。
【００２７】
この通信モードでのメモリカード側での処理を図２を参照して説明する。  
先ず、ファイル管理部２３は、アクセス記録部２４が管理する履歴情報を参照する（ステップＳ１１）。そして、ファイル管理部２３は、参照した履歴情報に基づいて送信していないファイルでファイルの作成日時が最近のファイルを特定する（ステップＳ１２）。ファイル管理部２３は、特定したファイルを送信ファイルとして設定する（ステップＳ１３）。
【００２８】
ファイル管理部２３は、近接無線通信部２５と近接無線通信部３３との近接無線通信が可能であるか近接無線通信部２５に問い合わせる。近接無線通信部２５から応答が有ったら、ファイル管理部２３は、応答結果が近接無線通信が可能であることを示しているか否かを判別する（ステップＳ１４）。近接無線通信が可能ではないと判断した場合（ステップＳ１４のＮｏ）、ファイル管理部２３は、不揮発性メモリ２１内のファイルにデジタルカメラ１０からアクセスが有ったか否かを判別する（ステップＳ１７）。アクセスが無いと判断した場合（ステップＳ１７のＮｏ）、一定時間後に再度近接無線通信部２５に近接無線通信が可能であるかを問合わせた後にステップＳ１４の処理を実行する。アクセスがあったと判断した場合（ステップＳ１７のＹｅｓ）、ファイル管理部２３は処理を終了する。
【００２９】
ステップＳ１４において近接無線通信が可能であると判断した場合（ステップＳ１４のＹｅｓ）、ファイル管理部２３はステップＳ１３で設定したファイルをデバイスコントローラ２２および近接無線通信部２５を用いてコンピュータ３０側に送信する（ステップＳ１５）。そして、ファイル管理部２３は、アクセス記録部２４に送信ファイルの送信情報（日時、送信相手）の情報を履歴情報に付け加えるように指示し、アクセス記録部２４は履歴情報を更新する（ステップＳ１６）。以上の処理でメモリカードに最近記録された(Writeした)ファイルを近接無線通信が可能になる度に１枚ずつコンピュータ３０に送信することができる。
【００３０】
“６．メモリカード２０から最近読み出された（Ｒｅａｄアクセスした）ファイルを受信”の場合、ファイル転送プログラムは、近接無線通信部３３をファイルを受信するモードに設定する。そして、ファイル転送プログラムは、近接無線通信部３３および近接無線通信部２５を介して、ファイル管理部２３に対してメモリカードから最近読み出された(Readアクセス)ファイルを送信する送信モードに設定する。ファイル管理部２３は、近接無線通信が可能になる度に、最近読み出された(Readアクセス)ファイルから順にファイルをコンピュータ３０に送信する。
【００３１】
この通信モードでのメモリカード側での処理を図３を参照して説明する。  
先ず、ファイル管理部２３は、アクセス記録部２４が管理する履歴情報を参照する（ステップＳ２１）。そして、ファイル管理部２３は、参照した履歴情報に基づいて送信していないファイルでファイルの読み出し（Readアクセス）日時が最近のファイルを特定する（ステップＳ２２）。ファイル管理部２３は、特定したファイルを送信ファイルとして設定する（ステップＳ２３）。
【００３２】
ファイル管理部２３は、近接無線通信部２５と近接無線通信部３３との近接無線通信が可能であるか近接無線通信部２５に問い合わせる。近接無線通信部２５から応答が有ったら、ファイル管理部２３は、応答結果が近接無線通信が可能であることを示しているか否かを判別する（ステップＳ２４）。近接無線通信が可能ではないと判断した場合（ステップＳ２４のＮｏ）、ファイル管理部２３は、不揮発性メモリ２１内のファイルにデジタルカメラ１０からアクセスが有ったか否かを判別する（ステップＳ２７）。アクセスが無いと判断した場合（ステップＳ２７のＮｏ）、一定時間後に再度近接無線通信部２５に近接無線通信が可能であるかを問合わせた後にステップＳ２４の処理を実行する。アクセスがあったと判断した場合（ステップＳ２７のＹｅｓ）、ファイル管理部２３は処理を終了する。
【００３３】
ステップＳ２４において近接無線通信が可能であると判断した場合（ステップＳ２４のＹｅｓ）、ファイル管理部２３はステップＳ２３で設定したファイルをデバイスコントローラ２２および近接無線通信部２５を用いてコンピュータ３０側に送信する（ステップＳ２５）。そして、ファイル管理部２３は、アクセス記録部２４に送信ファイルの送信情報（日時、送信相手）の情報を履歴情報に付け加えるように指示し、アクセス記録部２４は履歴情報を更新する（ステップＳ２６）。以上の処理でメモリカードから最近読み出された(Readアクセス)ファイルを近接無線通信が可能になる度に１枚ずつコンピュータ３０に送信することができる。
【００３４】
なお、コンピュータ３０によって実行されるファイル転送アプリケーションによってメモリカード２０に明示的にモードを設定するのではなく、ファイル転送アプリケーションの以下のような動作状況によって、自動的にモードが切り替わってもよい。
【００３５】
ファイル転送アプリケーションが１枚の映像を表示している場合、メモリカード２０に最近記録した(Writeした)映像（ファイル）から順次転送する。１ファイルのみ転送し、コンピュータ３０にて表示する。
【００３６】
ファイル転送アプリケーションが映像の一覧を表示している場合、メモリカード２０はコンピュータ３０内に無いファイルすべてを送信（無線機能内蔵記憶装置から送信）。コンピュータ３０に格納されている映像（ファイル）のリストを更新する。
【００３７】
例えば、図２に示すように、近接無線通信機能を有するメモリカード２０で通信を行う場合では、受信側にて明示的にモードを指定できない。その場合、以下のような１つの通信モードのみ対応にしてもよい。  
転送先にないファイルすべてを相互に転送する。
【００３８】
また、メモリカード２０内にて、最後にアクセス（Ｒｅａｄ／Ｗｒｉｔｅ）したファイルを検出し、その検出ファイルに応じて、送信するか・受信するか、対象とするファイルをどれにするかなど転送方向／内容を決める（近距離無線非対応機器同士でも通信できるようにするため）。
【００３９】
例えば、ユーザが撮影した写真とは別に、メモリカード２０（２０Ａ，２０Ｂ）内に操作内容を示す写真のファイル（ＪＰＥＧ）を複数枚入れておく。デジタルカメラ１０Ａ，１０Ｂを表示デバイス１７Ａ，１７Ｂに撮影したファイルを表示するモードにする。図４にに示すように、表示デバイス１７Ａに「送信のみ」という文字が書かれたファイルの画像を表示するとメモリカード２０Ａが近距離無線にて送信するモードになり、表示デバイス１７Ｂに「受信のみ」という文字が書かれたファイルの画像を表示するとメモリカード２０Ｂが近距離無線にて受信するモードになり、受信機器が近づくと自動的にすべての写真の送信を開始するようにする。
【００４０】
また、図５の遷移図に示すように、コマンド映像と、その他のファイルアクセスを組み合わせて、通信モードを選択してもよい。以下に一例を示す。
【００４１】
デジカメの状態（受信、すべて送信、最近撮影した１枚を送信、最近見た１枚を送信、すべて送受信）
起動時（電源投入時）：「受信」モード
遷移
・コマンド映像表示：その写真の内容のモードへ
・通常映像表示：「最近見た１枚送信」モードへ
・撮影：「最近撮影した１枚送信」モードへ
記憶装置内の各モジュールは、以下のような処理を実行する。
【００４２】
[通信前]
（１−１）デバイスコントローラ２２は、アクセス内容(Read/Write)と、記憶領域のアドレスをファイル管理部２３に渡す（すべてのアクセス内容を渡すのではなく、アクセス内容の一部を渡す）。
【００４３】
（１−２）ファイル管理部２３は、そのアドレスがどのファイルに該当するか調べ、アクセス内容/ファイルが変わったら、アクセス記録部内へ履歴として保存する。（ファイル管理部２３は、必要に応じてデバイスコントローラ２２からデータ要求/参照し、ファイルを特定する。）
（１−３）ファイル管理部２３は、状態遷移に従って、通信モード、対照ファイルを変更する。
【００４４】
[機器間を近づけ、通信]
（２−１）近距離無線部２５は、無線通信できるようになったことを、ファイル管理部２３へ通知する。
【００４５】
（２−２）ファイル管理部２３は、通信モードに応じて送受信を行う。
【００４６】
・受信の場合：デバイスコントローラ２２にファイルデータを要求し、受け取ったデータを近距離無線部へ渡し、相手端末へ送信する。
【００４７】
・送信の場合：近距離無線部から受け取ったデータを、デバイスコントローラ２２へ渡しファイルとして記録する。
【００４８】
（２−３）通信完了後、ファイル管理部２３は、アクセス記録部２４が管理する履歴情報を参照し、次の対象ファイルを決める。
【００４９】
（２−４）近距離無線部２５は、無線通信できなくなったことを検出する。（１−１）へ
ファイル管理部２３は、デバイスコントローラ２２から不揮発性メモリ２１内のファイルを取得する際、ホストコントローラ１３経由での不揮発性メモリ２１内のファイルへのアクセスを一時的に禁止する。
【００５０】
図５に示した遷移の実施するための処理の手順を図６のフローチャートを参照して説明する。  
ファイル管理部２３は、ホストコントローラ１３から不揮発性メモリにアクセスが有ったか否かを判別する（ステップＳ３１）。アクセスが会ったと判断した場合（ステップＳ３１のＹｅｓ）、ファイル管理部２３は、アクセスがＲｅａｄアクセスであったか否かを判別する（ステップＳ３２）。
【００５１】
Ｒｅａｄアクセスでは無いと判断した場合（ステップＳ３２のＮｏ）、ファイル管理部２３は、Ｗｒｉｔｅアクセスであるか否かを判別する（ステップＳ４１）。Ｗｒｉｔｅアクセスではないと判断した場合（ステップＳ４１のＮｏ）、ファイル管理部２３は、ステップＳ３１の処理に戻る。Ｗｒｉｔｅアクセスであると判断した場合（ステップＳ４１のＹｅｓ）、ファイル管理部２３は、最近撮影した１枚のファイルを送信する送信モードになり、近接距離無線通信が可能になったら最近撮影した１枚の映像ファイルを相手側機器に送信する（ステップＳ４２）。この通信モードでの処理は図２のフローチャートを参照して説明した処理の手順と同様である。
【００５２】
Ｒｅａｄアクセスであったと判断した場合（ステップＳ３２のＹｅｓ）、ファイル管理部２３はＲｅａｄアクセスの対象が“受信”コマンド映像ファイルであったか否かを判別する（ステップＳ３３）。
【００５３】
“受信”コマンド映像ファイルであると判断した場合（ステップＳ３３のＹｅｓ）、ファイル管理部２３は受信モードになる（ステップＳ４４）。受信モード後、ホストコントローラ１３から不揮発性メモリにアクセスが有ったと判断した場合（ステップＳ４４のＹｅｓ）、ステップＳ３２の処理を実行する。
【００５４】
“受信”コマンド映像ファイルでは無いと判断した場合（ステップＳ３３のＮｏ）、ファイル管理部２３は、Ｒｅａｄアクセスの対象が“全て送信”コマンド映像ファイルであるか否かを判別する（ステップＳ３４）。“全て送信”コマンド映像ファイルであると判断した場合（ステップＳ３４のＹｅｓ）、ファイル管理部２３は、近接距離無線通信が可能になったら、不揮発性メモリ内のファイルを全て相手側機器に送信する（ステップＳ４５）。そして、ファイル管理部２３はステップＳ３１の処理に戻る。
【００５５】
“全て送信”コマンド映像ファイルではないと判断した場合（ステップＳ３４のＮｏ）、ファイル管理部２３はＲｅａｄアクセスの対象が“全て送受信”コマンド映像ファイルであるか否かを判別する（ステップＳ３５）。“全て送受信”コマンド映像ファイルであると判断した場合（ステップＳ３５のＹｅｓ）、ファイル管理部２３は、近接距離無線通信が可能になったら、不揮発性メモリ内のファイルを全て相手側機器に送信する（ステップＳ４６）。ファイル管理部２３は受信モードになる（ステップＳ４６）。受信モード後、ホストコントローラ１３から不揮発性メモリにアクセスが有ったと判断した場合（ステップＳ４７のＹｅｓ）、ステップＳ３２の処理を実行する。
【００５６】
“全て送受信”コマンド映像ファイルではないと判断した場合（ステップＳ３５のＮｏ）、ファイル管理部２３は、Ｒｅａｄアクセスの対象が“最近撮影した１枚送信”コマンド映像ファイルであるか否かを判別する（ステップＳ３６）。“最近撮影した１枚送信”コマンド映像ファイルであると判断した場合（ステップＳ３６のＹｅｓ）、ファイル管理部２３は、最近撮影した１枚の映像ファイルを送信する通信モードになり、近接距離無線通信が可能になったら最近撮影した１枚の映像ファイルを送信する（ステップＳ４８）。この通信モードでの処理は図２のフローチャートを参照して説明した処理の手順と同様である。
【００５７】
“最近撮影した１枚送信”コマンド映像ファイルではないと判断した場合（ステップＳ３６のＮｏ）、アクセスした可能性があるファイルは“最近見た１枚送信”コマンド映像ファイル、または通常のファイルの何れかである。そこで、ファイル管理部２３は、最近見た１枚の映像ファイルを相手側機器に送信する通信モードになり、近接距離無線通信が可能になったら最近見た１枚の映像ファイルを相手側機器に送信する（ステップＳ３７）。この通信モードでの処理は図３のフローチャートを参照して説明した処理の手順と同様である。以上の処理で図５に示す遷移のようにモードが変化する。
【００５８】
本発明の一実施形態に係わるメモリカードによれば、近距離無線非対応のデジタルカメラ(またはビデオカメラ/PC/携帯など)に近距離無線機能内蔵メモリカード２０(メモリカード２０など)をいれ、メモリカード２０に記録した写真(もしくは動画)を転送可能になる。また、メモリカードを近距離無線対応の通信機器に近づけることで、近距離無線対応の通信機器にて指定した１つのファイルの転送を行うことが可能になる。。
【００５９】
なお、上記実施形態では、電子機器としてデジタルカメラを挙げたが、他の機器であっても良い。例えば、携帯電話等の移動体通信機であっても良い。
【００６０】
なお、近接無線通信が可能な状況下において、記憶装置内のファイルアクセスによって（コマンド映像を切り替えるなどの操作によって）、モードを切り替えることも可能にしてもよい。端末間の距離による操作(遠ざけて、近づける動き)をしなくても、連続したファイル転送が可能になる。
【００６１】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６２】
【図１】本発明の一実施形態に係わる、デジタルカメラ（電子機器）、メモリカード、およびパーソナルコンピュータのシステム構成を示すブロック図。
【図２】メモリカードに最近記録された(Writeした)ファイルを受信する通信モードでの処理の手順を示すフローチャート。
【図３】メモリカードから最近読み出された（Ｒｅａｄアクセスした）ファイルを受信する通信モードでの処理の手順を示すフローチャート。
【図４】２台のデジタルカメラの表示デバイスのそれぞれにコマンドが表示されている状態を示す図。
【図５】通信モードの遷移例を示す図。
【図６】図５に示す遷移を実施するための処理の手順を示すフローチャート。
【符号の説明】
【００６３】
１０…デジタルカメラ（電子機器），１４…カードスロット，２０…メモリカード，２１…不揮発性メモリ（記憶部），２２…デバイスコントローラ，２３…ファイル管理部，２４…アクセス記録部，２５…近接無線通信部，３３…近接無線通信部。
【図１】
2010067060.tif 000003
【図２】
2010067060.tif 000004
【図３】
2010067060.tif 000005
【図４】
2010067060.tif 000006
【図５】
2010067060.tif 000007
【図６】
2010067060.tif 000008
【手続補正書】
【提出日】平成21年9月28日(2009.9.28)
【手続補正１】
【補正対象書類名】明細書
【補正対象項目名】０００３
【補正方法】変更
【補正の内容】
【０００３】
無線ＬＡＮ機能を有するメモリカードをデジタルカメラの記憶デバイスとして使用すると、撮影されたファイルを無線ＬＡＮ機能を有するパーソナルコンピュータ等に自動的に転送することができる。
【非特許文献１】“Eye-Fi Share 2GB Wireless SD Card makes it easy to save photos and share them to the web”、［online］、Eye-Fi、［平成２１年７月７日検索］、インターネット＜URL：http://www.eye.fi/cards/share.html＞